(57)【要約】【課題】ユーザーに手間をかけさせることなく、警報器が正常に機能するかを確認することが可能な警報器（火災警報器）を得る。【解決手段】監視領域の火災を検出し火災警報を出力する火災警報器４であって、内部回路の試験（サーミスタ２０の断線監視試験及び電源６の電圧低下監視試験）を行う試験部（マイコン１２、電圧監視回路１９）と、監視領域に設けられた照明機器１を点灯させる制御が行われたことを検出して照明オン信号を出力する照明オン検出部（ＡＣ−ＤＣ降圧回路８、抵抗９、フォトカプラ１０及び抵抗１１）と、照明オン信号が入力されると試験部による内部回路の試験結果を出力する制御部（マイコン１２）と、を備えた。【選択図】図２
2010182173.tif 000002
【特許請求の範囲】
【請求項１】
監視領域の異常を検出する異常検出部と、
該異常検出部が前記監視領域の異常を検出すると異常警報を出力する警報部と、
を備えた警報器であって、
内部回路の試験を行う試験部と、
前記監視領域に設けられた照明機器を点灯させる制御が行われたことを検出し、照明オン信号を出力する照明オン検出部と、
該照明オン信号が入力されると、前記試験部による内部回路の試験結果を出力する制御部と、
を備えたことを特徴とする警報器。
【請求項２】
前記照明機器に電力を供給する電源以外の電源から電力が供給されていることを特徴とする請求項１に記載の警報器。
【請求項３】
前記照明オン検出部は、
前記照明機器へ電力供給されたことを検出する電力供給検出部、及び前記照明機器が点灯したことを光検出素子によって検出する光検出部の少なくとも一方を備えることを特徴とする請求項１又は請求項２に記載の警報器。
【請求項４】
前記警報部は、異常表示用の発光ダイオードを備え、
前記照明オン検出部が前記光検出部を備える場合、
前記光検出素子として、該発光ダイオードを用いることを特徴とする請求項３に記載の警報器。
【請求項５】
前記制御部は、
前記照明オン信号が所定回数入力されると、前記試験部による内部回路の試験結果を出力することを特徴とする請求項１〜請求項４のいずれか一項に記載の警報器。
【発明の詳細な説明】
【技術分野】
【０００１】
本発明は警報器に関する。
【背景技術】
【０００２】
警報器には、警報器が正常に機能するかを確認する試験スイッチが筐体表面等に設けられている。この試験スイッチを操作することによって内部回路に異常が無いかの試験が行なわれて、その試験結果が警報出力される構成となっている。これによって、ユーザーは、警報器が正常に機能するかを確認できるようになっている（例えば、特許文献１参照）。
【先行技術文献】
【特許文献】
【０００３】
【特許文献１】特開２００７−１１８２９号公報（段落００１５、図１）
【発明の概要】
【発明が解決しようとする課題】
【０００４】
警報器の機能を正常に保つためには、定期的に試験を行って確認することが好ましい。そのため、取扱説明書上などで、ユーザーに定期的な（例えば、１ヶ月毎）試験を推奨している。しかしながら、警報器は天井面等の高い位置に設置されるため、試験スイッチを操作するには大変手間がかかってしまう。つまり、警報器が正常に機能するかを確認するには大変手間がかかってしまうという問題点があった。また、試験すること自体を忘れてしまうという問題点があった。
【０００５】
本発明は上述のような課題を解決するためになされたものであり、ユーザーに手間をかけさせることなく、警報器が正常に機能するかを確認することが可能な警報器を得ることを目的とする。
【課題を解決するための手段】
【０００６】
本発明に係る警報器は、監視領域の異常を検出する異常検出部と、異常検出部が監視領域の異常を検出すると異常警報を出力する警報部と、を備えた警報器であって、内部回路の試験を行う試験部と、監視領域に設けられた照明機器を点灯させる制御が行われたことを検出し、照明オン信号を出力する照明オン検出部と、照明オン信号が入力されると、試験部による内部回路の試験結果を出力する制御部と、を備えたものである。
【０００７】
また、照明機器に電力を供給する電源以外の電源から電力が供給されているものである。
【０００８】
また、照明オン検出部は、照明機器へ電力供給されたことを検出する電力供給検出部、及び照明機器が点灯したことを光検出素子によって検出する光検出部の少なくとも一方を備えるものである。
【０００９】
また、警報部は、異常表示用の発光ダイオードを備え、光検出素子としてこの発光ダイオードを用いるものである。
【００１０】
また、制御部は、照明オン信号が所定回数入力されると内部回路の試験結果を出力するものである。
【発明の効果】
【００１１】
本発明においては、所定のタイミングで内部回路の試験を行う。そして、ユーザー等によって照明機器を点灯させる操作が行われたときに、内部回路の試験結果を出力する。このため、ユーザーは、試験スイッチを操作する必要がなくなる。したがって、ユーザーに手間をかけさせることなく、警報器の内部回路の試験結果（警報器が正常に機能するか否か）を定期的にユーザーに知らせることができる。
【００１２】
また、警報器に電力供給する電源は、照明機器に電力供給する電源とは別のものが用いられている。このため、照明機器に電力供給する電源が電力供給することができない状態（例えば停電等）になった場合でも、監視領域の異常を検出すると異常警報を出力することができ、さらに内部回路の試験を行うことができる。
【００１３】
また、照明オン検出部は、照明機器へ電力供給されたことを検出する電力供給検出部、及び照明機器が点灯したことを光検出素子によって検出する光検出部の少なくとも一方を備えている。照明オン検出部が電力供給検出部を備えている場合、照明機器の電球が切れている場合でも、照明機器を点灯させる操作が行われたことを確実に検出することができる。照明オン検出部が光検出部を備えている場合、照明機器へ電力供給する電気配線と警報器とを接続する必要が無くなる。このため、警報器を既築物件へ簡単に後付け設置することができる。
【００１４】
また、照明オン検出部が光検出部を備えている場合、監視領域の異常表示用の発光ダイオードを光検出素子として兼用することにより、警報器の部品点数を削減することができる。
【００１５】
また、照明オン信号が所定回数入力されたときに試験部による内部回路の試験結果を出力することにより、消費電力を低減させることができる。また、ある程度の間隔を開けて適度な頻度で、警報器の内部回路の試験結果（警報器が正常に機能するか否か）をユーザーに知らせることができる。
【図面の簡単な説明】
【００１６】
【図１】本実施の形態１に係る火災警報器が設置された監視空間を示す斜視図である。
【図２】本実施の形態１に係る火災警報器の内部回路を示す回路構成図である。
【図３】本実施の形態１に係る火災警報器のメイン動作を示すフローチャートである。
【図４】本実施の形態１に係る火災警報器の火災監視動作を示すフローチャートである。
【図５】本実施の形態１に係る火災警報器の断線監視試験動作を示すフローチャートである。
【図６】本実施の形態１に係る火災警報器の電圧監視試験動作を示すフローチャートである。
【図７】本実施の形態１に係る火災警報器の試験判定動作を示すフローチャートである。
【図８】本実施の形態１に係る火災警報器の試験警報出力動作を示すフローチャートである。
【図９】本実施の形態２に係る火災警報器の内部回路を示す回路構成図である。
【図１０】本実施の形態３に係る火災警報器の内部回路を示す回路構成図である。
【図１１】本実施の形態４に係る火災警報器のメイン動作を示すフローチャートである。
【図１２】本実施の形態４に係る火災警報器の試験判定動作を示すフローチャートである。
【発明を実施するための形態】
【００１７】
実施の形態１．
警報器には、火災警報器やガス漏れ警報器等様々のものが存在する。また、火災警報器にも、発光素子及び受光素子によって煙を検出する火災警報器、感熱素子によって熱を検出する火災警報器、及び焦電素子により炎を検出する火災警報器等、種々の火災警報器が存在する。本実施の形態１では、感熱素子であるサーミスタによって熱を検出する火災警報器に本発明を実施した場合について説明する。
【００１８】
図１は、本実施の形態１に係る火災警報器が設置された監視空間を示す斜視図である。また、図２はこの火災警報器の内部回路を示す回路構成図である。これら図１及び図２を用いて、本実施の形態１に係る火災警報器４について説明する。
【００１９】
監視空間である住居には、天井面に照明機器１が設置され、壁面に照明スイッチ２が設置されている。照明機器１は、照明スイッチ２を介在させた電気配線３に接続されている。照明スイッチ２がオンされることによって、照明機器１は、電気配線３を介して電力が供給されて、点灯する。また、天井面には火災警報器４も設置されている。
【００２０】
この火災警報器４は、火災検出部、制御部であるマイクロコンピューター（以下、マイコン１２という）、照明オン検出部、内部回路の試験を行う試験部、及び電源６等から構成されている。なお、後述のようにマイコン１２は試験部としての機能も果たす。
【００２１】
（電源）
例えばリチウム電池である電源６は、定電圧回路７を介してマイコン１２等に常時電力を供給する。定電圧回路７を介することにより、マイコン１２に安定した電力供給が可能となっている。また、照明機器１に電力供給する電源（図示せず）とは別の電源６で常時電力供給することにより、照明機器１に電力供給されているか否かにかかわらず、監視領域の異常としての火災を常時検出することができる。なお、マイコン１２を照明スイッチ２よりも上流部の電気配線３に接続し、マイコン１２へ電力供給を行ってもよい。このようにしても、照明機器１に電力供給されているか否かにかかわらず、火災を常時検出することができる。本実施の形態１では、照明機器１に電力供給する電源（図示せず）が電力供給することができない状態（例えば停電等）になった場合でも火災検出できるように、照明機器１に電力供給する電源とは別の電源６でマイコン１２へ常時電力供給を行っている。なお、電源６は必ずしも常時電力供給を行う必要はない。例えば、火災検出に影響のない間隔で、パルス的に電力供給を行ってもよい。
【００２２】
（火災検出部）
火災検出部は、サーミスタ２０及び抵抗２１等から構成されている。サーミスタ２０及び抵抗２１は直列に接続され、これらの両端には定電圧回路７を介して電源６から定電圧が印加されている。また、サーミスタ２０の先端部は、火災警報器４の筐体の表面近傍に設けられている（図１に示す）。これにより、火災時の熱をサーミスタ２０に伝達しやすくしている。マイコン１２には、サーミスタ２０と抵抗２１とによって抵抗比分割した電圧が入力されている。サーミスタ２０は温度により抵抗値が変化するため、火災時にサーミスタ２０が暖められると、サーミスタ２０と抵抗２１との間の電圧値が変化する。マイコン１２は、このサーミスタ２０と抵抗２１との間の電圧値が例えば火災レベル以上になると、火災が発生したと判断する。つまり、マイコン１２が備えた記憶部２５の火災フラグ２５ａをセットする。
【００２３】
（照明オン検出部）
本実施の形態１に係る照明オン検出部は、照明機器１に電力供給されたことを検出する電力供給検出部を備えている。この照明オン検出部（電力供給検出部）は、ＡＣ−ＤＣ降圧回路８、抵抗９、フォトカプラ１０及び抵抗１１等から構成されている。ＡＣ−ＤＣ降圧回路８は、電気配線３から分岐した分岐電気配線５に接続されている。照明スイッチ２がオンされると、ＡＣ−ＤＣ降圧回路８には、分岐電気配線５を介して電源より交流電圧が印加される。ＡＣ−ＤＣ降圧回路８は、この交流電圧を直流電圧に変換し、直流電圧を抵抗９及びフォトカプラ１０に印加する（以下、この直流電圧を降圧定電圧という）。これにより、フォトカプラ１０は、オンして照明オン信号を出力する。フォトカプラ１０が照明オン信号を出力することによって、抵抗１１によりプルアップされ定電圧が入力していたマイコン１２の端子が接地されるので、マイコン１２に照明オン信号が入力される。
【００２４】
なお、本実施の形態１では、ＡＣ−ＤＣ降圧回路８により降圧定電圧を生成して、フォトカプラ１０に降圧定電圧を供給している。しかしながら、交流電圧で動作するフォトカプラを使用すれば、ＡＣ−ＤＣ降圧回路８を介さず、直接分岐電気配線５をフォトカプラに接続することができる。また、照明機器１や照明スイッチ２から移報信号を出力させる構成としてもよい。そして、この移報信号をマイコン１２に入力するようにしてもよい。
【００２５】
（試験部）
本実施の形態１では、内部回路の試験として、電圧低下監視試験及び断線監視試験を行っている。
電圧低下監視試験は、電圧監視回路１９により、電源６の電圧値が所定の値以下になっていないかを試験する。電源６の電圧値が所定の値以下になった場合、電源６の電圧低下をマイコン１２に通知する。つまり、電源６の電圧値が所定の値以下になった場合、マイコン１２が備えた記憶部２５の電圧低下フラグ２５ｄをセットする。
断線監視試験は、サーミスタ２０と抵抗２１との間の電圧値をマイコン１２が監視することにより行われる。サーミスタ２０が断線すると、サーミスタ２０と抵抗２１との間の電圧値は、グランド電圧となる。サーミスタ２０と抵抗２１との間の電圧値がグランド電圧となった場合、マイコン１２はサーミスタ２０（火災検出部）が断線したと判断する。つまり、マイコン１２が備えた記憶部２５の断線フラグ２５ｂをセットする。
【００２６】
なお、本実施の形態１ではサーミスタ２０の断線を検出しているが、サーミスタ２０の劣化を判定してもよい。サーミスタ２０の劣化の判定は、例えばサーミスタ２０と抵抗２１との間の電圧値が所定の範囲となったときに、サーミスタ２０が劣化したと判断することができる。
【００２７】
（制御部及び警報部）
本実施の形態１に係る火災警報器４には、音響出力する警報部及び表示出力（点灯や点滅）する警報部が設けられている。
音響出力する警報部は、音声合成回路１３及びスピーカー１４等から構成されている。
表示出力する警報部は、トランジスタ１５、抵抗１６及び発光ダイオード１７等から構成されている。マイコン１２からトランジスタ１５に通電され、トランジスタ１５がスイッチングすることにより、抵抗１６を介して定電圧回路７から電圧が印加され、発光ダイオード１７が点灯する。
制御部は、これら音響出力する警報部及び表示出力する警報部を介して、火災警報や試験結果をユーザーに知らせる。なお、照明機器１に電力供給するたびに試験結果を出力することは、消費電力が増加して不経済である。また、警報頻度が多くユーザーに不快感を与える可能性がある。このため、本実施の形態１に係る火災警報器４（マイコン１２）は、照明オン信号が所定回数入力されたとき（ユーザーが照明機器１を点灯させる動作を所定回数以上行ったとき）に、試験結果を出力する構成としている。
【００２８】
火災警報器４は、従来の火災警報器と同様に、マイコン１２に内部回路の試験を指示するための（試験結果を出力指示するための）スイッチ１８も備えている。ユーザーは、スイッチ１８を操作することにより、内部回路の試験を行うことも可能となっている。
【００２９】
（動作）
続いて、火災警報器４の動作について説明する。
図３は、本実施の形態１に係る火災警報器のメイン動作を示すフローチャートである。また、図４〜図８は、図３に示す各動作を示すフローチャートである。
【００３０】
まず、図３を用いて、火災警報器４のメイン動作について説明する。電源６が接続されることで電力供給されると、マイコン１２は、記憶部２５内の全フラグをクリアしステップＳ２に進む（ステップＳ１）。ステップＳ２では、マイコン１２は、記憶部２５内の全カウンタ（照明オン信号カウンタ２５ｆ）をクリアする。ステップＳ３では、火災の監視を実施する（詳細は図４を用いて後述する）。ステップＳ４では、サーミスタ２０の断線監視試験を行う（詳細は図５を用いて後述する）。ステップＳ５では、電源６の電圧低下監視試験を行う（詳細は図６を用いて後述する）。ステップＳ６では、ステップＳ４及びステップＳ５に基づき、試験結果（試験正常）を出力するかを判定する（詳細は図７を用いて後述する）。ステップＳ７では、どのような出力を行うのかを判定する。つまり、火災警報を出力するのか、試験結果を出力するのかを判断する（詳細は図８を用いて後述する）。ステップＳ７終了後、ステップＳ３に戻り、再び火災の監視や内部回路の試験を行う。つまり、火災警報器４は、所定時間毎に内部回路の試験等を行っている。
【００３１】
図４を用いて、図３のステップＳ３に示す火災監視動作の詳細について説明する。マイコン１２は、サーミスタ２０と抵抗２１との間の電圧値に基づき、火災が発生したか否かを判断する（ステップＳ３０１）。火災が発生していると判断した場合、マイコン１２が備えた記憶部２５の火災フラグ２５ａをセットし（ステップＳ３０２）、ステップＳ４の断線監視試験動作に進む。火災が発生していないと判断した場合、マイコン１２が備えた記憶部２５の火災フラグ２５ａをクリアし（ステップＳ３０３）、ステップＳ４の断線監視試験動作に進む。
【００３２】
図５を用いて、図３のステップＳ４に示す断線監視試験動作の詳細について説明する。マイコン１２は、記憶部２５の火災フラグ２５ａがセットされているか否かを判断する（ステップＳ４０１）。火災フラグ２５ａがセットされている場合、断線監視試験を終了し、ステップＳ５の電圧監視試験動作に進む。火災が発生している場合、火災警報を早急に出力する必要があるためである。火災フラグ２５ａがセットされていない場合、マイコン１２は、サーミスタ２０と抵抗２１との間の電圧値に基づき、サーミスタ２０が断線しているか否かを判断する（ステップＳ４０２）。サーミスタ２０が断線していると判断した場合、記憶部２５の断線フラグ２５ｂをセットし（ステップＳ４０３）、ステップＳ５の電圧監視試験動作に進む。サーミスタ２０が断線していないと判断した場合、記憶部２５の断線フラグ２５ｂをセットせず、ステップＳ５の電圧監視試験動作に進む。
【００３３】
図６を用いて、図３のステップＳ５に示す電圧監視試験動作の詳細について説明する。マイコン１２は、記憶部２５の火災フラグ２５ａがセットされているか否かを判断する（ステップＳ５０１）。火災フラグ２５ａがセットされている場合、電圧監視試験を終了し、ステップＳ６の試験判定動作に進む。火災が発生している場合、火災警報を早急に出力する必要があるためである。火災フラグ２５ａがセットされていない場合、電源６の電圧が低下しているか否かを判断する（ステップＳ５０２）。電源６の電圧が低下していると判断した場合、記憶部２５の電圧低下フラグ２５ｄをセットし（ステップＳ５０３）、ステップＳ６の試験判定動作に進む。電源６の電圧が低下していないと判断した場合、記憶部２５の電圧低下フラグ２５ｄをセットせず、ステップＳ６の試験判定動作に進む。
【００３４】
図７を用いて、図３のステップＳ６に示す試験判定動作の詳細について説明する。マイコン１２は、照明機器１の電力供給が停止されているか否か（照明機器１が消灯しているか否か）を照明オン信号が入力されているか否かによって判断する（ステップＳ６０１）。照明機器１の電力供給が停止されている場合、つまり照明オン信号が入力していない場合、記憶部２５の照明オフフラグ２５ｅをセットし（ステップＳ６０２）、ステップＳ６０３へ進む。照明機器１の電力供給が停止されていない場合、つまり照明オン信号が入力している場合、記憶部２５の照明オフフラグ２５ｅをセットせず、ステップＳ６０３へ進む。
【００３５】
ステップＳ６０３では、マイコン１２は、照明機器１に電力が供給されているか否か（照明機器１が点灯しているか否か）を照明オン信号が入力されているか否かによって判断する。照明機器１に電力が供給されている場合、つまり照明オン信号が入力している場合、ステップＳ６０４へ進む。照明機器１に電力が供給されていない場合、つまり照明オン信号が入力していない場合、ステップＳ６０７へ進む。
ステップＳ６０４では、マイコン１２は、記憶部２５の照明オフフラグ２５ｅがセットされているか否かを判断する。照明オフフラグ２５ｅがセットされている場合、照明がオフからオンされたと判断して記憶部２５の照明オン信号カウンタ２５ｆをカウントアップし（ステップＳ６０５）、記憶部２５の照明オフフラグ２５ｅをクリアする（ステップＳ６０６）。そして、ステップＳ６０７へ進む。照明オフフラグ２５ｅがセットされていない場合、ステップＳ６０７へ進む。
【００３６】
つまり、ステップＳ６０１〜ステップＳ６０４の工程は、前回の試験判定動作（ステップＳ６）から今回の試験判定動作（ステップＳ６）の間に、照明機器１が点灯したかどうかを判断している。したがって、前回の試験判定動作（ステップＳ６）から今回の試験判定動作（ステップＳ６）の間、照明機器１が消灯し続けていた場合、記憶部２５の照明オン信号カウンタ２５ｆをカウントアップしない（ステップＳ６０３）。前回の試験判定動作（ステップＳ６）から今回の試験判定動作（ステップＳ６）の間、照明機器１が点灯し続けていた場合、記憶部２５の照明オン信号カウンタ２５ｆをカウントアップしない（ステップＳ６０４）。これにより、ステップＳ６０５において、マイコン１２は、ユーザーが照明機器１を点灯させた回数を把握することができる。
【００３７】
ステップＳ６０７では、マイコン１２は、記憶部２５の火災フラグ２５ａがセットされているか否かを判断する（ステップＳ６０７）。火災フラグ２５ａがセットされている場合、試験判定動作を終了し、ステップＳ７の試験警報出力動作に進む。火災が発生している場合、火災警報を早急に出力する必要があるためである。火災フラグ２５ａがセットされていない場合、マイコン１２は、スイッチ１８が操作されたか否かを判断する（ステップＳ６０８）。スイッチ１８が操作されている場合、内部回路の試験結果をユーザーに知らせなければならないため、ステップＳ６１０に進む。
【００３８】
スイッチ１８が操作されていない場合、マイコン１２は、記憶部２５の照明オン信号カウンタ２５ｆに記憶された数が所定値以上か否かを判断する（ステップＳ６０９）。つまり、ユーザーが照明機器１を点灯させる動作を所定回数以上行ったか否かを判断する。照明オン信号カウンタ２５ｆに記憶された数が所定値以上の場合はステップＳ６１０に進み、照明オン信号カウンタ２５ｆに記憶された数が所定値より小さい場合はステップＳ７の試験警報出力動作に進む。ステップＳ６１０〜ステップＳ６１２の工程は、内部回路が正常か否かを判定する工程である。例えば、この所定回数を１とすると、ユーザーが照明機器１の点灯動作を行うたびに、内部回路が正常か否かを判定することとなる。
【００３９】
ステップＳ６１０では、マイコン１２は、記憶部２５の断線フラグ２５ｂがセットされているか否かを判断する。断線フラグ２５ｂがセットされていない場合はステップＳ６１１に進み、断線フラグ２５ｂがセットされている場合はステップＳ７の試験警報出力動作に進む。ステップＳ６１１では、マイコン１２は、記憶部２５の電圧低下フラグ２５ｄがセットされているか否かを判断する。電圧低下フラグ２５ｄがセットされていない場合はステップＳ６１２に進み、電圧低下フラグ２５ｄがセットされている場合はステップＳ７の試験警報出力動作に進む。ステップＳ６１２では、マイコン１２は、サーミスタ２０の断線及び電源６の電圧低下が発生していないと判断し、記憶部２５の試験正常フラグ２５ｃをセットする。そして、ステップＳ７の試験警報出力動作に進む。
【００４０】
図８を用いて、図３のステップＳ７に示す試験警報出力動作の詳細について説明する。マイコン１２は、記憶部２５の火災フラグ２５ａがセットされているか否かを判断する（ステップＳ７０１）。火災フラグ２５ａがセットされている場合は、ステップＳ７０２に進み、火災警報を出力する。例えば、火災警報として火災警報音を音響出力し、発光ダイオード１７を点灯して表示出力する。そして、ステップＳ３の火災監視動作に戻る。火災フラグ２５ａがセットされていない場合は、ステップＳ７０３に進む。ステップＳ７０３では、マイコン１２は、記憶部２５の断線フラグ２５ｂがセットされているか否かを判断する。断線フラグ２５ｂがセットされている場合は、断線フラグ２５ｂをクリアし（ステップＳ７０４）、試験異常警報を出力する（ステップＳ７０７）。例えば、試験異常警報として試験異常音を音響出力し、発光ダイオード１７を点滅して表示出力する。そして、ステップＳ３の火災監視動作に戻る。断線フラグ２５ｂがセットされていない場合は、ステップＳ７０５に進む。
【００４１】
ステップＳ７０５では、マイコン１２は、記憶部２５の電圧低下フラグ２５ｄがセットされているか否かを判断する。電圧低下フラグ２５ｄがセットされている場合は、電圧低下フラグ２５ｄをクリアし（ステップＳ７０６）、試験異常警報を出力する（ステップＳ７０７）。例えば、試験異常警報として試験異常音を音響出力し、発光ダイオード１７を点滅して表示出力する。そして、ステップＳ３の火災監視動作に戻る。電圧低下フラグ２５ｄがセットされていない場合は、ステップＳ７０８に進む。ステップＳ７０８では、マイコン１２は、記憶部２５の試験正常フラグ２５ｃがセットされているか否かを判断する。試験正常フラグ２５ｃがセットされている場合は、試験正常フラグ２５ｃをクリアし（ステップＳ７０９）、試験正常警報を出力する（ステップＳ７１０）。例えば、試験正常警報として試験正常音を音響出力し、発光ダイオード１７を点灯して表示出力をする。そして、照明オン信号カウンタ２５ｆをクリアし（ステップＳ７１１）、ステップＳ３の火災監視動作に戻る。試験正常フラグ２５ｃがセットされていない場合は、警報を出力せずに、ステップＳ３の火災監視動作に戻る。
【００４２】
なお、本実施の形態１では、ユーザーが照明機器１を点灯させる動作を所定回数以上行った場合、警報出力として表示出力及び音響出力を行っている。しかしながら、この所定回数を、表示出力と音響出力とで異なる値としてもよい。例えば、ユーザーが照明機器１を点灯させる動作を行うごとに表示出力を行い、ユーザーが照明機器１を点灯させる動作を２回以上行った場合に音響出力する構成としてもよい。表示出力及び音響出力を出力させるこれら所定回数は、ディップスイッチ等の設定部により、ユーザーが設定できるようにしてもよい。また、表示出力又は音響出力のいずれか一方により検査結果を知らせてもよい。また、火災警報用の警報部とは別に、試験結果を警報する警報部を設けてもよい。
【００４３】
このように構成された火災警報器４においては、ユーザーが照明機器１の点灯動作を所定回数以上行ったときに、内部回路に異常が無いこと（火災警報器４が正常に機能すること）をユーザーに知らせることができる。したがって、ユーザーに手間をかけさせることない。
【００４４】
また、照明機器１に電力供給する電源とは別の電源６でマイコン１２へ常時電力供給を行っている。したがって、照明機器１に電力供給する電源（図示せず）が電力供給することができない状態（例えば停電等）になった場合でも、火災検出を行うことができる。
【００４５】
また、照明オン検出部は電力供給検出部を備えているので、照明機器１の電球が切れている場合でも、照明機器１を点灯させる操作が行われたことを確実に検出することができる。
【００４６】
実施の形態２．
実施の形態１では、電力供給検出部を備えた照明オン検出部により、照明機器１の点灯を検出していた。光検出素子によって照明機器１の点灯を検出しても、本発明を実施することが可能である。なお、本実施の形態２において、特に記述しない項目については実施の形態１と同様とし、同一の機能や構成については同一の符号を用いて述べることとする。
【００４７】
図９は、本実施の形態２に係る火災警報器の内部回路を示す回路構成図である。本実施の形態２に係る火災警報器４の照明オン検出部は、光検出素子２２により照明機器１の点灯を検出する光検出部を備えている。この照明オン検出部（光検出部）は、光検出素子２２及び配線２３等から構成されている。光検出素子２２は、例えばフォトダイオード等である。照明機器１の光を受光することにより、光検出素子２２の両端には電圧が発生する。この電圧が、照明オン信号として、マイコン１２に入力される。なお、本実施の形態２では受光することにより電圧が発生する光検出素子を用いたが、受光することにより抵抗値が変化する光検出素子（例えばフォトレジスタ等）を用いてもよい。
【００４８】
なお、本実施の形態２の照明オン検出部は、光検出部のみを備えているが、実施の形態１に示す電力供給検出部を備えていてももちろんよい。
【００４９】
このように構成された火災警報器４においては、照明機器１へ電力供給する電気配線３と火災警報器４とを接続する分岐電気配線５を別途設ける必要が無くなる。このため、火災警報器４を既築物件へ簡単に後付け設置することができる。
【００５０】
実施の形態３．
警報部を構成する発光ダイオード１７を、実施の形態２に示した光検出素子２２の換わりとして用いることも可能である。なお、本実施の形態３において、特に記述しない項目については実施の形態１又は実施の形態２と同様とし、同一の機能や構成については同一の符号を用いて述べることとする。
【００５１】
図１０は、本実施の形態３に係る火災警報器の内部回路を示す回路構成図である。本実施の形態３に係る火災警報器４の照明オン検出部は、発光ダイオード１７及び配線２４等から構成されている。配線２４は、一方の端部が発光ダイオード１７のアノード側に接続されており、他方の端部がマイコン１２に接続されている。
【００５２】
発光ダイオード１７が警報を表示出力していない、かつ照明機器１の光を受光していないとき、発光ダイオード１７の両端に電圧は発生しない。このとき、照明機器１の光を受光した発光ダイオード１７は、その両端に電圧が発生する。この電圧が、照明オン信号として、マイコン１２に入力される。つまり、発光ダイオード１７は、照明機器１の点灯を検出する光検出素子としても用いられている。
【００５３】
このように構成された火災警報器４においては、照明機器１の点灯を検出するため専用の光検出素子を設けることがなく、火災警報器４の部品点数を削減することが可能となる。
【００５４】
実施の形態４．
実施の形態１〜実施の形態３では内部回路に異常が無いか否か（火災警報器４が正常に機能するか否か）の試験を定期的に行っていたが、照明機器１に電力供給されたときに内部回路に異常が無いか否か（火災警報器４が正常に機能するか否か）の試験を行ってもよい。なお、本実施の形態４において、特に記述しない項目については実施の形態１〜実施の形態３と同様とし、同一の機能や構成については同一の符号を用いて述べることとする。
【００５５】
図１１は、本実施の形態４に係る火災警報器のメイン動作を示すフローチャートである。また、図１２は図４の試験判定動作を示すフローチャートである。実施の形態１〜実施の形態３ではメイン動作中にあったサーミスタ２０の断線監視試験動作（ステップＳ４）及び電源６の電圧低下監視試験動作（ステップＳ５）が、試験判定動作（ステップＳ６）の中で実施されている。また、試験判定動作（ステップＳ６）中において、これら断線監視試験動作（ステップＳ４）及び電圧低下監視試験動作（ステップＳ５）は、スイッチ１８が操作された場合、及びユーザーが照明機器１を点灯させる動作を所定回数以上行った場合に実施される。
【００５６】
このように構成された火災警報器４においても、ユーザーが照明機器１の点灯動作を所定回数以上行ったときに、内部回路に異常が無いこと（火災警報器４が正常に機能すること）をユーザーに知らせることができる。したがって、ユーザーに手間をかけさせることない。
【００５７】
以上、実施の形態１〜実施の形態４では、内部回路の試験としてサーミスタ２０の断線監視試験及び電源６の電圧低下監視試験を行った。しかしながら、これらの試験はあくまでも一例である。例えば内部回路の試験として、スピーカー１４から音響出力されるか否かを試験してもよい。
【００５８】
また、実施の形態１〜実施の形態４では熱を検出する火災警報器４について説明したが、これはあくまでも一例である。例えば、発光素子及び受光素子によって煙を検出する火災警報器に本発明を実施してもよい。内部回路の試験としては、例えば、受光素子出力レベルを監視する。また、例えば、焦電素子により炎を検出する火災警報器に本発明を実施してもよい。内部回路の試験としては、例えば、試験光を照射したときの焦電素子の出力レベルを監視する。
また、例えばガス漏れ警報器等、火災警報器以外の警報器に本発明を実施できることは言うまでもない。
【符号の説明】
【００５９】
１  照明機器、２  照明スイッチ、３  電気配線、４  火災警報器、５  分岐電気配線、６  電源、７  定電圧回路、８  ＡＣ−ＤＣ降圧回路、９  抵抗、１０  フォトカプラ、１１  抵抗、１２  マイコン、１３  音声合成回路、１４  スピーカー、１５  トランジスタ、１６  抵抗、１７  発光ダイオード、１８  スイッチ、１９  電圧監視回路、２０  サーミスタ、２１  抵抗、２２  光検出素子、２３  配線、２４  配線、２５  記憶部、２５ａ  火災フラグ、２５ｂ  断線フラグ、２５ｃ  試験正常フラグ、２５ｄ  電圧低下フラグ、２５ｅ  照明オフフラグ、２５ｆ  照明オン信号カウンタ。
【図１】
2010182173.tif 000003
【図２】
2010182173.tif 000004
【図３】
2010182173.tif 000005
【図４】
2010182173.tif 000006
【図５】
2010182173.tif 000007
【図６】
2010182173.tif 000008
【図７】
2010182173.tif 000009
【図８】
2010182173.tif 000010
【図９】
2010182173.tif 000011
【図１０】
2010182173.tif 000012
【図１１】
2010182173.tif 000013
【図１２】
2010182173.tif 000014